(57)【要約】【課題】薬剤の無駄な廃棄を削減して薬剤費の抑制を図ることが可能なＩＣタグの利用方法を提供する。【解決手段】薬液を収容した薬剤容器と、薬剤容器に貼着され、薬液を特定可能な薬剤情報が記憶された、複数の再貼着可能なＩＣタグと、を備え、患者に対する薬剤の投与量を含む予め定められた薬剤投与情報に基づいて、投与量を薬剤容器から少なくとも１つの小分け容器に小分けする薬剤小分け工程と、複数のＩＣタグのうちの１枚を薬剤容器から剥がし、薬液を小分けした小分け容器に貼着する再貼着工程と、投与量に関する情報を小分け容器に再貼着したＩＣタグに書き込むＩＣタグ情報書込工程と、を含むことを特徴とする。【選択図】図１
2011070428.tif 000002
【特許請求の範囲】
【請求項１】
薬液を収容した薬剤容器と、
前記薬剤容器に貼着され、前記薬液を特定可能な薬剤情報が記憶された、複数の再貼着可能なＩＣタグと、
を備え、
患者に対する前記薬液の投与量を含む予め定められた薬剤投与情報に基づいて、前記投与量を前記薬剤容器から少なくとも１つの小分け容器に小分けする薬剤小分け工程と、
前記複数のＩＣタグのうちの１枚を前記薬剤容器から剥がし、前記薬液を小分けした小分け容器に貼着する再貼着工程と、
前記投与量に関する投与量情報を前記小分け容器に再貼着したＩＣタグに書き込むＩＣタグ情報書込工程と、
を含むことを特徴とするＩＣタグの利用方法。
【請求項２】
小分けした前記薬液を投与する患者に関する患者情報を取得する患者情報取得工程を含み、
前記ＩＣタグ情報書込工程において、前記患者情報を前記小分け容器に再貼着したＩＣタグに書き込む請求項１に記載のＩＣタグの利用方法。
【請求項３】
前記ＩＣタグ情報書込工程において、前記薬剤容器の薬液の残量に関する薬液残量情報を、小分けを行った後も該薬剤容器に貼着されている残余のＩＣタグの少なくとも１つに書き込む請求項１または請求項２に記載のＩＣタグの利用方法。
【請求項４】
前記薬剤情報は、前記薬液の品番，製品名，製造番号，およびシリアル番号のうちの少なくとも一つを含む請求項１ないし請求項３のいずれか１項に記載のＩＣタグの利用方法。
【請求項５】
前記小分け容器に再貼着したＩＣタグに書き込まれたＩＣタグ情報を読み出すＩＣタグ情報読出工程と、
読み出した前記ＩＣタグ情報と、前記薬剤投与情報とを照合する照合工程と、
を含む請求項１ないし請求項４のいずれか１項に記載のＩＣタグの利用方法。
【請求項６】
前記薬液は、輸液用，内服用，および外用の少なくとも１つに用いられる請求項１ないし請求項５のいずれか１項に記載のＩＣタグの利用方法。
【発明の詳細な説明】
【技術分野】
【０００１】
本発明は、ＩＣタグの利用方法に関する。
【背景技術】
【０００２】
無線ＩＣタグ（ＲＦＩＤタグともいう）は、バーコードと比較し、情報の書込みと読出しが可能で、かつ、大量の情報を扱うことができるため、商品の販売管理などに利用されつつある。
【０００３】
例えば、保管庫に保管される薬品が入った容器に、非接触通信部と少なくとも薬品名および残量を含む薬品固有データを記憶するデータ記憶用メモリとを含むＩＣタグ・ＩＣカード等の非接触型ＩＣメディアを添設する一方、調剤場所に、非接触通信部とデータ記憶用メモリを読み書きできる制御部とを含む非接触型リードライト装置を設置し、保管庫から薬品をその容器ごとピッキングした後であって調剤する前に、薬品が入った容器を非接触型リードライト装置に接近させて、非接触型ＩＣメディアのデータ記憶用メモリに記憶された薬品固有データを、互いの非接触通信部を介して、非接触型リードライト装置の制御部により読み取るように構成したことを特徴とする調剤ミス防止支援システムが考案されている（特許文献１参照）。
【先行技術文献】
【特許文献】
【０００４】
【特許文献１】特開２００４−１９５０３３号公報
【発明の概要】
【発明が解決しようとする課題】
【０００５】
特許文献１の構成により、薬品の入った容器毎にその薬品名と残量とを容易に確認できるようにすることで、調剤ミスの防止と薬品の保管事故の発見に役立つようになる。しかし、どの薬品をどれだけ使用したかの情報は記憶されるが、どのように（どの患者に）投与されたかという情報は記憶あるいは把握されていない。
【０００６】
どの薬品を誰にどれだけ投与したかの履歴・経路が把握されていないため、例えば、抗がん剤では、薬剤の容量が１０ｍｌであったとしても、必要量（例えば７ｍｌ）のみ抜き取った後には、安全のため残余（３ｍｌ）を廃棄している。抗がん剤は比較的高価であるため、誰が負担するにしろ、この薬剤費の負担は小さくない。
【０００７】
上記問題を背景として、本発明の課題は、薬剤の無駄な廃棄を削減して薬剤費の抑制を図ることが可能なＩＣタグの利用方法を提供することにある。
【課題を解決するための手段及び発明の効果】
【０００８】
上記の課題を解決するために、本発明のＩＣタグの利用方法は、薬液を収容した薬剤容器と、薬剤容器に貼着され、薬液を特定可能な薬剤情報が記憶された、複数の再貼着可能なＩＣタグと、を備え、患者に対する薬液の投与量を含む予め定められた薬剤投与情報に基づいて、投与量を薬剤容器から少なくとも１つの小分け容器に小分けする薬剤小分け工程と、複数のＩＣタグのうちの１枚を薬剤容器から剥がし、薬液を小分けした小分け容器に貼着する再貼着工程と、投与量に関する投与量情報を小分け容器に再貼着したＩＣタグに書き込むＩＣタグ情報書込工程と、を含むことを特徴とする。
【０００９】
上記構成によって、どの薬液をどれだけ投与したかの履歴を、ＩＣタグ読取装置があれば何処でも把握することが可能となる。また、実際に薬液を投与する医療現場において、患者への投薬前に薬剤名のみならず投薬量まで確認でき、医療の安全性を高めることができる。
【００１０】
また、本発明のＩＣタグの利用方法は、小分けした薬液を投与する患者に関する患者情報を取得する患者情報取得工程を含み、ＩＣタグ情報書込工程において、患者情報を前記小分け容器に再貼着したＩＣタグに書き込む。
【００１１】
上記構成によって、誰（どの患者）に薬液をどれだけ投与したかの履歴・経路を、ＩＣタグ読取装置があれば何処でも把握することが可能となる。例えば、薬剤の容量が１０ｍｌであったとき、必要量（例えば７ｍｌ）のみ抜き取った後でも、薬剤の投与履歴が分かっているので、残余（３ｍｌ）を患者に投与することが可能となり、薬剤費負担を低減することができる。
【００１２】
また、本発明のＩＣタグの利用方法におけるＩＣタグ情報書込工程において、薬剤容器の薬液の残量に関する薬液残量情報を、小分けを行った後も該薬剤容器に貼着されている残余のＩＣタグの少なくとも１つに書き込む。
【００１３】
上記構成によって、薬液の残量も把握することが可能となる。
【００１４】
また、本発明のＩＣタグの利用方法における薬剤情報は、薬液の品番，製品名，製造番号，およびシリアル番号のうちの少なくとも一つを含む。
【００１５】
上記構成によって、薬液を特定することが可能となる。
【００１６】
また、本発明のＩＣタグの利用方法は、小分け容器に再貼着したＩＣタグに書き込まれたＩＣタグ情報を読み出すＩＣタグ情報読出工程と、読み出したＩＣタグ情報と、薬剤投与情報とを照合する照合工程と、を含む。
【００１７】
上記構成によって、薬液が正しく投与されるか否かを確認でき、薬液や患者の取り違えを防止することが可能となる。
【００１８】
また、本発明のＩＣタグの利用方法における薬液は、輸液用，内服用，および外用の少なくとも１つに用いられる。
【００１９】
上記構成によって、本発明のＩＣタグの利用方法を、様々な投薬形態に適用することが可能となる。
【図面の簡単な説明】
【００２０】
【図１】ＩＣタグの利用方法の概念を表した模式図。
【図２】各種情報の入力，照合に用いる機器の構成例を示す図。
【図３】ＩＣタグ情報登録処理を説明するフロー図。
【図４】ＩＣタグ情報登録処理実行時の表示例を示す図。
【図５】ＩＣタグに予め記憶されている薬剤情報の例を示す図。
【図６】ＩＣタグに追加記憶される患者情報および投与量情報の一例を示す図。
【図７】ＩＣタグに追加記憶される薬液残量情報の一例を示す図。
【図８】薬剤投与情報照合処理を説明するフロー図。
【図９】ＩＣタグ情報登録処理の別例を説明するフロー図。
【発明を実施するための形態】
【００２１】
以下、本発明の実施形態を、図面を参照しながら説明する。図１に、本発明に係るＩＣタグの利用方法の概念を表した模式図を示す。ＩＣタグの利用方法は、以下のような構成をとる。抗がん剤等の薬液が収容された薬剤容器１と、薬剤容器１に収容された薬液を小分けする小分け容器であるシリンジ（注射器，注射筒ともいう）２，３等からなり、薬剤容器１には、小分け容器の数に相当するＩＣタグ４０，５０（この場合は２枚）が貼着されている。そして、薬剤容器１の薬液をシリンジ２（患者Ａに投与），３（患者Ｂに投与）に小分けしたときに、ＩＣタグ４０，５０に小分けした薬液の量（すなわち投与量情報）を記録する。以下、詳細について述べる。
【００２２】
薬剤容器１に収容される薬剤は、薬液が主であるが、薬液に限らず錠剤や粒状の薬剤を用いてもよく、複数の薬剤を混合してもよい。また、容器の形状に制約はなく、アンプル型容器でもよい。無論、小分け容器としてシリンジの他に、円筒状容器のような他の形状の容器を用いてもよい。
【００２３】
図２に、各種情報の入力，照合に用いる機器の構成例を示す。図２の例では、通信可能にネットワーク接続された端末１０およびホストコンピュータ２０を主な要素として構成されている。
【００２４】
端末１０は、例えばパーソナルコンピュータとして構成され、ＬＣＤ表示器等の表示部１０ａ，キーボード等の入力部１０ｂ，ハードディスク装置（ＨＤＤ）１０ｃ等の記憶媒体，およびこれらを制御する制御部１０ｄを含む。ＰＤＡ（Personal  Digital  Assistant：携帯情報端末）のような他の情報通信端末を用いてもよい。また、端末１０には、患者情報読取部１２，ＲＦＩＤリーダ／ライタ１３が接続されている。
【００２５】
患者情報読取部１２は、例えば磁気カードリーダ，ＩＣカードリーダ，あるいはカルテに貼付されたバーコードの内容を読み取るバーコードリーダのうちの１つ以上を含んで構成される。近年、診察券やカルテの電子化が進み、磁気カードやＩＣカードに患者の氏名等が記憶されている。また、バーコードは、診察券やカルテに印刷され、患者を特定できるようになっている。これら磁気カード，ＩＣカード，バーコードの情報（すなわち患者情報）を読み取って、端末１０のＨＤＤ１０ｃで一時記憶する。また、端末１０の入力部１０ｂから患者情報を入力してもよい。
【００２６】
読み取った患者情報を基に、端末１０で所定の操作を行うことで、端末１０，ホストコンピュータ２０あるいは他の情報処理装置に含まれる患者情報データベースを検索し、その検索結果を付加情報として患者情報に含めてもよい。この方法により、磁気カード，ＩＣカード，バーコードには患者の氏名のみしか記憶されてない場合でも、ホストコンピュータ２０等から治療に必要な情報（付加情報）を取得して、患者情報に含めることができる。また、電子化された診察券には、患者の氏名の他に、身長，体重，血液型，病歴等の情報も記憶されるようになりつつある。これらの情報を付加情報として読み取って患者情報に含めてもよい。
【００２７】
なお、患者情報は、カルテ番号や診察券番号のみでも患者を特定するためには十分であるが、上述の付加情報が含まれている方がより正確に患者を特定することができる。
【００２８】
ＲＦＩＤリーダ／ライタ１３は、薬剤容器１に貼付されているＩＣタグ４０，５０との間でデータ通信を行うためのもので、図示しない周知のＲＦＩＤ通信部（送信部／受信部），全体を制御する制御部，端末１０とのデータの遣り取りを行う通信Ｉ／Ｆ（インターフェース）を含んで構成される。
【００２９】
ＩＣタグ４０（５０も同様）は、周知のＩＣチップ４１およびアンテナ等の周辺回路（図示せず）を含んで構成される。ＩＣチップ４１には、動作を制御する制御部４１ａや、ＩＣチップ４１に割り当てられたユニークコードや後述のＩＣタグ情報等を記憶する記憶部４１ｂを含んでいる。
【００３０】
また、ＩＣタグ４０は、ＲＦＩＤリーダ／ライタ１３からの電波の照射を受けると、その電波のエネルギーが電気エネルギーに変換されて制御部４１ａが動作し、ＲＦＩＤリーダ／ライタ１３からの電波に含まれる制御指令に基づいて、記憶部４１ｂからＩＣタグ情報のような所定の情報を読み出してＲＦＩＤリーダ／ライタ１３へ送信する。また、ＲＦＩＤリーダ／ライタ１３からの電波に含まれる制御指令に基づいて、制御部４１ａがＲＦＩＤリーダ／ライタ１３から送信されてきたデータを記憶部４１ｂに書き込む。
【００３１】
ホストコンピュータ２０は、周知のパーソナルコンピュータあるいはワークステーションとして構成され、ＨＤＤ等の記憶媒体にデータベース（ＤＢ）２１が構築されている。
【００３２】
ホストコンピュータ２０と端末１０とは、ネットワーク接続されていれば、設置位置に制約はない。例えば、コンピュータルームのような施設にホストコンピュータ２０が設置され、薬剤を小分けする施設、および小分けされた薬剤を使用する施設（病室等）に端末１０が設置される。また、端末１０のＨＤＤ１０ｃにＤＢ２１と同等のデータベースを構築してもよい。
【００３３】
本発明の構成においては、カルテあるいは処方箋に記載あるいは記憶された薬剤投与情報に基づいて、薬剤容器１に収容された薬液をシリンジ２，３へ小分けする。
【００３４】
図３を用いて、薬剤容器１の薬液を小分けしたときに、小分けした容器のＩＣタグに情報を登録するＩＣタグ情報登録処理について説明する。なお、本処理は、端末１０のＨＤＤ１０ｃに記憶されたアプリケーションプログラムに含まれ、制御部１０ｄにより実行される。
【００３５】
本処理の実行前に、薬剤投与情報に基づいて、薬剤容器１の薬液をシリンジ２に小分けし（本発明の薬剤小分け工程に相当）、薬剤容器１に貼着されているＩＣタグ４０を薬剤容器１から剥がし、シリンジ２に貼着する（本発明の再貼着工程に相当）。なお、これらの工程は、本処理の実行後に行ってもよい。また、薬剤投与情報は、例えばカルテや処方箋に記載されている。カルテや処方箋が電子化されているときには、ＩＣカードリーダ，バーコードリーダ等の読み取り装置を用いて、投与量情報を取得する。また、端末１０の入力部１０ｂから投与量情報を取得してもよい。
【００３６】
本処理では、まず、患者情報読取部１２から、上述のような方法で患者情報を取得する（Ｓ１１，本発明の患者情報取得工程に相当）。取得した患者情報は、ＨＤＤ１０ｃに一時記憶する。患者情報を表示部１０ａに表示してもよい。
【００３７】
次に、薬剤投与情報に基づいて、患者に投与する薬液の投与量に関する情報（投与量情報）を取得する（Ｓ１２）。取得した投与量情報は、ＨＤＤ１０ｃに一時記憶する。投与量情報を表示部１０ａに表示してもよい。
【００３８】
患者情報および投与量情報を取得すると（Ｓ１３：Ｙｅｓ）、端末１０の表示部１０ａに図４のような画面が表示される。ここで、「登録」ボタンをクリックすると、患者情報および投与量情報を、ＩＣタグ情報としてＲＦＩＤリーダ／ライタ１３により、シリンジ２に貼付されたＩＣタグ４０に含まれる記憶部４１ｂに書き込む（Ｓ１４，「登録」と表記，本発明のＩＣタグ情報書込工程に相当）。
【００３９】
そして、薬剤容器１に薬液の残量がある場合（Ｓ１５：Ｙｅｓ）、ＲＦＩＤリーダ／ライタ１３により、その薬液残量情報を薬剤容器１に貼着されているＩＣタグ５０に書き込む（Ｓ１６）。
【００４０】
残余の薬液（３ｍｌ）は、他の患者（患者Ｂ）に投与することが可能である。この場合、ＩＣタグ５０の記憶部に患者Ｂに関する患者情報，投与量情報（図１の例では薬液残量情報と同じとなる）を書き込んで、そのＩＣタグ５０をシリンジ３に再貼着する。
【００４１】
上述の例では、薬液を２つのシリンジに小分けすることを想定しているが、３つ以上のシリンジに小分けする場合は、新たなＩＣタグを薬剤容器１に貼着する。このとき、ＲＦＩＤリーダ／ライタ１３により、薬剤容器１に貼着されているＩＣタグ５０から予め記憶されている薬剤情報を読み出し、新たなＩＣタグに書き込む。
【００４２】
上述の薬剤情報,薬剤投与情報,患者情報,投与量情報,および薬液残量情報を、それぞれ関連付けて、ホストコンピュータ２０のＤＢ２１に薬剤投与履歴情報として登録するようにしてもよい。これにより、薬剤の投与履歴を現場以外でも把握することが可能となる。
【００４３】
図４に、ＩＣタグ情報登録処理実行時の、端末１０の表示部１０ａにおける表示画面例を示す。患者番号と小分けした薬剤の内訳が表示されている。この画面上で、「修正」ボタンをクリックして、患者情報および薬剤情報のいずれかを選択（クリック）すると、該当箇所の再読み込み（修正）を行うことができる。
【００４４】
図５に、ＩＣタグ４０，５０に予め記憶されている薬剤情報の例を示す。図５の例では、ユニークコード，薬剤の品番，製品名，内容量，製造番号（ロット番号ともいう），使用期限，およびシリアル番号が記憶されている。シリアル番号は同じ製品でも薬剤容器毎に異なるので、シリアル番号から、どの薬剤容器から小分けされたかと特定することができる。これらの情報は、薬液を製造した製薬会社からの出荷時の情報である。また、ユニークコードは、各ＩＣチップに記憶された世界で唯一のコードである。
【００４５】
図６に、ＩＣタグ４０，５０に追加記憶される患者情報および投与量情報の一例を示す。図６の例では、患者情報にはカルテ番号（処方箋番号でもよい），患者氏名（患者Ａ），および病名が含まれ、投与量情報には、処方された薬剤名，およびその薬剤の投与量（７ｍｌ）が含まれている。
【００４６】
図７に、ＩＣタグ５０の記憶部（図示せず）に追加記憶される薬液残量情報の一例を示す。薬液残量情報には、小分けされた日時，およびその薬剤の残量が含まれている。処方対象の患者に関する情報（氏名等）を含めてもよい。
【００４７】
図８を用いて、薬剤投与情報照合処理について説明する。なお、本処理は、端末１０のＨＤＤ１０ｃに記憶されたアプリケーションプログラムに含まれ、制御部１０ｄにより実行される。まず、ＲＦＩＤリーダ／ライタ１３により、シリンジ２に貼付されたＩＣタグ４０に含まれるＩＣチップ４１の記憶部４１ｂから、投与量情報および患者情報（ＩＣタグ情報という）を読み取る（Ｓ３１，本発明のＩＣタグ情報読出工程に相当）。読み取ったＩＣタグ情報は、ＨＤＤ１０ｃに一時記憶する。
【００４８】
次に、患者情報読取部１２から、図３のステップＳ１１と同様の方法で、患者情報を取得する。このとき、上述した方法で薬剤投与情報も取得する（Ｓ３２）。取得した患者情報および薬剤投与情報は、ＨＤＤ１０ｃに一時記憶する。
【００４９】
次に、ＩＣチップ４１の記憶部４１ｂから読み取ったＩＣタグ情報（投与量情報および患者情報）と、患者情報読取部１２から取得した患者情報、および薬剤投与情報と、の双方を照合する（Ｓ３３，本発明の照合工程に相当）。例えば、以下のいずれかが一致したときに、両者が一致したと判定する。
・ＩＣタグ情報と薬剤投与情報に含まれる薬液のシリアル番号が一致。
・ＩＣタグ情報と薬剤投与情報に含まれる薬液の製造番号が一致。
・ＩＣタグ情報と患者情報に含まれる患者に関する情報が一致。
【００５０】
照合の結果、両者が一致した場合には（Ｓ３４：Ｙｅｓ）、「この薬液は処方と一致しています」，「この薬液は患者○○に処方されたものです」のような、両者が一致した旨のメッセージを表示部１０ａに表示し（Ｓ３５）、一致するものがない場合には（Ｓ３４：Ｎｏ）、「この薬液は処方と一致していません」，「この薬液は患者○○に処方されたものではありません」のような、両者が一致しない旨のメッセージを表示部１０ａに表示する（Ｓ３６）。
【００５１】
図９を用いて、同じシリアル番号の薬液を同一の患者に投与したい場合、あるいは同じ製造番号（製造ロット）の薬液を同一の患者に投与したい場合のＩＣタグ情報登録処理について説明する。なお、本処理は、図３のＩＣタグ情報登録処理の変形例であるので、図３と同一のステップには同一の符号を付与し、ここでの詳細な説明は割愛する。
【００５２】
患者情報および投与量情報を取得すると（Ｓ１３：Ｙｅｓ）、端末１０の表示部１０ａに図４のような画面が表示される。ここで、「登録」ボタンをクリックすると、上述のようなホストコンピュータ２０のＤＢ２１に含まれる薬剤投与履歴情報を参照し、例えばシリアル番号，製造番号，患者情報を検索キーワードとして当該薬液の投与履歴の有無を調べる（Ｓ１３１）。そして、以下のうちのいずれかを用いて当該薬液の投与条件が成立したか否かを判定する。
・当該薬液の投与履歴が全くない場合、投与条件が成立したと判定する。
・今回の患者に当該薬液の投与履歴がある場合（シリアル番号が一致）、投与条件が成立したと判定する。
・シリアル番号が一致は一致しないが、今回の患者に当該薬液の同じ製造番号の薬液を投与した履歴がある場合、投与条件が成立したと判定する。
【００５３】
そして、投与条件が成立したとき（Ｓ１３２：Ｙｅｓ）、患者情報および投与量情報（すなわちＩＣタグ情報）を、ＲＦＩＤリーダ／ライタ１３により、シリンジ２に貼付されたＩＣタグ４０に含まれる記憶部４１ｂに書き込む（Ｓ１４）。
【００５４】
そして、薬剤容器１に薬液の残量がある場合（Ｓ１５：Ｙｅｓ）、ＲＦＩＤリーダ／ライタ１３により、その薬液残量情報を薬剤容器１に貼着されているＩＣタグ５０に書き込む（Ｓ１６）。最後に、今回の薬剤情報，患者情報，投与量情報，および薬液残量情報をそれぞれ関連付けて、ホストコンピュータ２０のＤＢ２１に登録する（Ｓ１７）。
【００５５】
一方、投与条件が成立しないとき（Ｓ１３２：Ｎｏ）、「この薬液は患者○○に処方できません」のような、警告メッセージを表示部１０ａに表示する（Ｓ１８）。この後、本処理を終了する。警告表示の後、本処理を継続するか否かを選択できるようにして、継続を選択したときには、ステップＳ１４に移行するようにしてもよい。
【００５６】
上述の実施例は、ＩＣタグに患者情報を記憶する構成であるが、ＩＣタグに患者情報を記憶しない構成としてもよい。この場合、図３，図９において患者情報を取得するステップは実行されない。また、図６，図７には患者情報は含まれない。薬液のシリアル番号を照合することで、同一の薬液を同一の患者に投与でき、薬剤の無駄な廃棄を削減することができる。
【００５７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００５８】
１    薬剤容器
２，３  シリンジ（小分け容器）
１０    端末
１０ａ  表示部
１０ｂ  入力部
１０ｄ  制御部
１２    患者情報読取部
１３    ＲＦＩＤリーダ／ライタ
２０    ホストコンピュータ
４０，５０  ＩＣタグ
４１ａ  制御部
４１ｂ  記憶部
【図１】
2011070428.tif 000003
【図２】
2011070428.tif 000004
【図３】
2011070428.tif 000005
【図４】
2011070428.tif 000006
【図５】
2011070428.tif 000007
【図６】
2011070428.tif 000008
【図７】
2011070428.tif 000009
【図８】
2011070428.tif 000010
【図９】
2011070428.tif 000011